(57)【要約】【課題】死んだ状態の釣り餌用魚類でも、釣り餌用魚類Ｆをその腹が下を向く姿勢に保持することができ、また釣り餌用魚類を海中で泳いでいるように動作させることができる釣り餌用魚類の遊泳偽装用具を提供する。【解決手段】右半部１５Ｒは右方向へ進むにしたがって前方へ傾斜する湾曲面に形成されており、右半部１５Ｒは左半部１５Ｌよりも前方へ向かって突出し、右半部１５Ｒには潮の流れによる力が加わる。右半部１５Ｒは押され、中心Ｃを支点として釣り餌用魚類Ｆが反時計回りの方向に回動して、釣り餌用魚類Ｆは二点鎖線で示す姿勢になる。左半部１５Ｌは左方向へ進むにしたがって前方へ傾斜する湾曲面に形成されており、左半部１５Ｌは右半部１５Ｒよりも前方へ向かって突出する。左半部１５Ｌと右半部１５Ｒとには潮の流れによる力が交互に加わり、釣り餌用魚類Ｆは一点鎖線で示す状態と二点鎖線で示す状態との間で左右方向に揺動する。【選択図】        図４
2011120546.tif 000002
【特許請求の範囲】
【請求項１】
釣り餌用魚類の頭部に被せて、前記頭部に掛ける釣針が挿通されるマスク部と、前記マスク部に対して一体に設けられ下方へ向かって延び、且つ前面の中央部を境にして左半部は左方向へ進むにしたがって前方へ傾斜する面に形成され、右半部は右方向へ進むにしたがって前方へ傾斜する面に形成されたリップ部と、前記リップ部に備えられた錘とを備えることを特徴とする釣り餌用魚類の遊泳偽装用具。
【請求項２】
請求項１に記載した釣り餌用魚類の遊泳偽装用具において、リップ部の前面は下方向へ進むにしたがって前方へ傾斜する面に形成されていることを特徴とする釣り餌用魚類の遊泳偽装用具。
【請求項３】
請求項１または２に記載した釣り餌用魚類の遊泳偽装用具において、マスク部には、釣り餌用魚類の頭部に掛ける釣針を挿通する穴が形成されていることを特徴とする釣り餌用魚類の遊泳偽装用具。
【請求項４】
請求項１から３のいずれかに記載した釣り餌用魚類の遊泳偽装用具において、マスク部とリップ部は透明材料によって構成されていることを特徴とする釣り餌用魚類の遊泳偽装用具。
【請求項５】
請求項１から４のいずれかに記載した釣り餌用魚類の遊泳偽装用具において、リップ部には錘収容部が設けられ、前記錘収容部には複数の錘が動いて互いに接触できる状態に収容されていることを特徴とする釣り餌用魚類の遊泳偽装用具。
【請求項６】
請求項５に記載した釣り餌用魚類の遊泳偽装用具において、錘収容部は凹部によって構成され、前記凹部はリップ部を二つ折りにするとリップ部の一部によって開口が塞がれることを特徴とする釣り餌用魚類の遊泳偽装用具。
【請求項７】
請求項６に記載した釣り餌用魚類の遊泳偽装用具において、リップ部には、前記リップ部を二つ折りにして凹部の開口を塞ぐ状態で保持する保持手段が設けられていることを特徴とする釣り餌用魚類の遊泳偽装用具。
【請求項８】
請求項１から７のいずれかに記載した釣り餌用魚類の遊泳偽装用具において、マスク部に挿通される釣針以外の補助釣針が取り付けられたハリスを連結する連結部が設けられていることを特徴とする釣り餌用魚類の遊泳偽装用具。
【発明の詳細な説明】
【技術分野】
【０００１】
本発明は釣り餌用魚類の遊泳偽装用具に係り、特にアジやサンマ等の釣り餌用魚類に装着して釣り餌用魚類を泳いでいるように見せる釣り餌用魚類の遊泳偽装用具に関するものである。
【背景技術】
【０００２】
延縄漁や一本釣り漁等で用いる釣り餌には、生餌と疑似餌がある。疑似餌には例えば特許文献１に記載されたものがあり、この特許文献１に記載された疑似餌は魚介類のエキス等からなる集魚成分を含んでいる。しかし、疑似餌に集魚成分が含まれているとしても、やはり生餌の方が獲物の食い付きがよいので、漁では生餌を用いるのが理想的である。
生餌としては、冷凍のアジやサンマ等の釣り餌用魚類を用いる。そして、この釣り餌用魚類を解凍または半解凍し、魚類のあご等に針を掛けて、海へ投入する。
【先行技術文献】
【特許文献】
【０００３】
【特許文献１】特開２００２−３３０６７０号公報
【発明の概要】
【発明が解決しようとする課題】
【０００４】
しかしながら、上記したように解凍または半解凍した状態、即ち死んだ状態の釣り餌用魚類を用いるので、この魚類の腹は上を向いてしまい、また魚類そのものは全く動かず、当然のことながら海中を泳いでいるように見えないという問題がある。
本発明は上記従来の問題点に着目して為されたものであり、死んだ状態の釣り餌用魚類でも、釣り餌用魚類Ｆをその腹が下を向く姿勢に保持することができ、また釣り餌用魚類を海中で泳いでいるように動作させることができる釣り餌用魚類の遊泳偽装用具を提供することを、その目的とする。
【課題を解決するための手段】
【０００５】
本発明は上記課題を解決するためになされたものであり、請求項１の発明は、釣り餌用魚類の頭部に被せて、前記頭部に掛ける釣針が挿通されるマスク部と、前記マスク部に対して一体に設けられ下方へ向かって延び、且つ前面の中央部を境にして左半部は左方向へ進むにしたがって前方へ傾斜する面に形成され、右半部は右方向へ進むにしたがって前方へ傾斜する面に形成されたリップ部と、前記リップ部に備えられた錘とを備えることを特徴とする釣り餌用魚類の遊泳偽装用具である。
【０００６】
請求項２の発明は、請求項１に記載した釣り餌用魚類の遊泳偽装用具において、リップ部の前面は下方向へ進むにしたがって前方へ傾斜する面に形成されていることを特徴とする釣り餌用魚類の遊泳偽装用具である。
【０００７】
請求項３の発明は、請求項１または２に記載した釣り餌用魚類の遊泳偽装用具において、マスク部には、釣り餌用魚類の頭部に掛ける釣針を挿通する穴が形成されていることを特徴とする釣り餌用魚類の遊泳偽装用具である。
【０００８】
請求項４の発明は、請求項１から３のいずれかに記載した釣り餌用魚類の遊泳偽装用具において、マスク部とリップ部は透明材料によって構成されていることを特徴とする釣り餌用魚類の遊泳偽装用具である。
【０００９】
請求項５の発明は、請求項１から４のいずれかに記載した釣り餌用魚類の遊泳偽装用具において、リップ部には錘収容部が設けられ、前記錘収容部には複数の錘が動いて互いに接触できる状態に収容されていることを特徴とする釣り餌用魚類の遊泳偽装用具である。
【００１０】
請求項６の発明は、請求項５に記載した釣り餌用魚類の遊泳偽装用具において、錘収容部は凹部によって構成され、前記凹部はリップ部を二つ折りにするとリップ部の一部によって開口が塞がれることを特徴とする釣り餌用魚類の遊泳偽装用具である。
【００１１】
請求項７の発明は、請求項６に記載した釣り餌用魚類の遊泳偽装用具において、リップ部には、前記リップ部を二つ折りにして凹部の開口を塞ぐ状態で保持する保持手段が設けられていることを特徴とする釣り餌用魚類の遊泳偽装用具である。
【００１２】
請求項８の発明は、請求項１から７のいずれかに記載した釣り餌用魚類の遊泳偽装用具において、マスク部に挿通される釣針以外の補助釣針が取り付けられたハリスを連結する連結部が設けられていることを特徴とする釣り餌用魚類の遊泳偽装用具である。
【発明の効果】
【００１３】
本発明の釣り餌用魚類の遊泳偽装用具によれば、死んだ状態の釣り餌用魚類でも、釣り餌用魚類Ｆをその腹が下を向く姿勢に保持することができ、また釣り餌用魚類を海中で泳いでいるように動作させることができる。従って、釣り餌用魚類に対する獲物の食い付きを飛躍的に向上させることが可能となる。
【図面の簡単な説明】
【００１４】
【図１】本発明の実施の形態１に係る釣り餌用魚類の遊泳偽装用具の斜視図である。
【図２】図１の釣り餌用魚類の遊泳偽装用具を釣り餌用魚類に装着した状態を示す図である。
【図３】図１の釣り餌用魚類の遊泳偽装用具の動作を説明する平面図である。
【図４】図１の釣り餌用魚類の遊泳偽装用具の動作を説明する平面図である。
【図５】図１の釣り餌用魚類の遊泳偽装用具の動作を説明する側面図である。
【図６】本発明の実施の形態２に係る釣り餌用魚類の遊泳偽装用具の斜視図である。
【発明を実施するための形態】
【００１５】
本発明の実施の形態１に係る釣り餌用魚類の遊泳偽装用具１を図１から図５にしたがって説明する。
釣り餌用魚類の遊泳偽装用具１は、透明材料としてのアクリル樹脂から成る本体３と、鉛から成る錘２５とによって構成されている。
本体３の詳細な構成について説明する。
符号５はマスク部を示し、このマスク部５は釣り餌用魚類Ｆの頭部に嵌る寸法・形状に設定されている。マスク部５の先端部には互いに対向する二つの穴７、９が形成されており、穴７はマスク部５の上部に配置され、穴９はマスク部５の下部に配置されている。
【００１６】
マスク部５の開口側の端部にはプレート状のリップ部１１が一体に設けられており、このリップ部１１は下方へ向かって延びている。リップ部１１には、その上下方向の略中央部に折り返し部１３が設けられている。このリップ部１１は、後述するように折り返し部１３で二つ折りにすると、上側の部分が表部１５となり、下側の部分が裏部１７となる。
【００１７】
図２に示すように表部１５の前面は、その中央部を境にして左半部１５Ｌが左方向へ進むにしたがって前方へ傾斜する湾曲面に形成されており、右半部１５Ｒが右方向へ進むにしたがって前方へ傾斜する湾曲面に形成されている。
また、表部１５の前面は、下方へ進むにしたがって前方へ傾斜する湾曲面に形成されている。
表部１５には後方に向かって突出する凸部１９が形成されている（図１参照）。
【００１８】
裏部１７には錘収容部としての凹部２１が形成されており、この凹部２１には、後述するように二つの錘２５が収容される。
また裏部１７には凸部１９に嵌合する凹部２３が形成されている。
保持手段は凸部１９と凹部２３によって構成されている。
【００１９】
次に、餌用魚類の遊泳偽装用具１の使用方法を説明する。
二つの錘２５を凹部２１に収容し、リップ部１１を折り返し部１３で二つ折りにして、凹部２３を凸部１９に嵌合させる。これによりリップ部１１は二つ折りの状態に保持され、また凹部２１の開口は表部１５の背面によって塞がれる。
二つの錘２５は凹部２１内で動いて互いに接触できる状態となっている。
【００２０】
図２に示すように解凍または半解凍した状態の釣り餌用魚類Ｆの頭部にマスク部５を被せる。そして釣針Ｈの先端部をマスク部５の穴９に挿通し、釣り餌用魚類Ｆの下あごから上あごへ通して、マスク部５の穴７に挿通する。これにより餌用魚類の遊泳偽装用具１が釣り餌用魚類Ｆに取り付けられる。
このように、穴９、７を目印にして釣針Hを通すことができるので、だれでも間違いなく釣針Hを正しい部位に通すことが可能である。また、万が一、釣針Hが穴７以外の部分から突出するようなことがあっても、マスク部５によって指がカバーされるので、大きな怪我を防止することができる。
【００２１】
そして、餌用魚類の遊泳偽装用具１を取り付けた釣り餌用魚類Ｆを海へ投入する。
凹部２１には二つの錘２５が収容されているので、これらの錘２５の重さによって、リップ部１１には下方向への力が加わる。これにより死んだ状態の釣り餌用魚類Ｆでも、その腹が下を向く姿勢に保持することができる。
【００２２】
また、図４（ａ）に示すように左半部１５Ｌには潮の流れによる力が加わる。そして左半部１５Ｌは後方に向かって押され、平面視におけるリップ部１１の中心Ｃを支点としてリップ部１１、マスク部５と共に釣り餌用魚類Ｆが同図において時計回りの方向に回動して、釣り餌用魚類Ｆは図４（ｂ）の一点鎖線で示す姿勢になる。
前述したように右半部１５Ｒは右方向へ進むにしたがって前方へ傾斜する湾曲面に形成されているので、この状態では右半部１５Ｒは左半部１５Ｌよりも前方へ向かって突出し、右半部１５Ｒには潮の流れによる力が加わる。
【００２３】
すると、右半部１５Ｒは後方に向かって押され、リップ部１１の中心Ｃを支点としてリップ部１１、マスク部５と共に釣り餌用魚類Ｆが同図において反時計回りの方向に回動して、釣り餌用魚類Ｆは図４（ｃ）の二点鎖線で示す姿勢になる。
前述したように左半部１５Ｌは左方向へ進むにしたがって前方へ傾斜する湾曲面に形成されているので、この状態では左半部１５Ｌは右半部１５Ｒよりも前方へ向かって突出し、左半部１５Ｌには潮の流れによる力が加わる。
【００２４】
そして、左半部１５Ｌは後方に向かって押され、リップ部１１の中心Ｃを支点としてリップ部１１、マスク部５と共に釣り餌用魚類Ｆが同図において時計回りの方向に回動して、釣り餌用魚類Ｆは図４（ｂ）の一点鎖線で示す姿勢になる。
このように左半部１５Ｌと右半部１５Ｒとには潮の流れによる力が交互に加わり、釣り餌用魚類Ｆは一点鎖線で示す状態と二点鎖線で示す状態との間で左右方向に揺動する（図３参照）。
【００２５】
また、図５に示すように表部１５の下端部前面には潮の流れによる力が加わる。そして表部１５の下端部前面は後方に向かって押され、仮想の回動中心Ｐを支点としてリップ部１１、マスク部５と共に釣り餌用魚類Ｆが同図において反時計回りの方向に回動して、釣り餌用魚類Ｆは一点鎖線で示す姿勢になる。
前述したように凹部２１には二つの錘２５が収容されているので、これらの錘２５の重さによって、リップ部１１には下方向への力が加わる。
【００２６】
すると、回動中心Ｐを支点としてリップ部１１、マスク部５と共に釣り餌用魚類Ｆが同図において時計回りの方向に回動して、釣り餌用魚類Ｆは二点鎖線で示す姿勢になる。
前述したように表部１５の前面は下方へ進むにしたがって前方へ傾斜する湾曲面に形成されているので、この状態では表部１５の下端部前面は上端部前面よりも前方へ向かって突出し、この表部１５の下端部前面には潮の流れによる力が加わる。
【００２７】
そして、表部１５の下端部前面は後方に向かって押され、回動中心Ｐを支点としてリップ部１１、マスク部５と共に釣り餌用魚類Ｆが同図において反時計回りの方向に回動して、釣り餌用魚類Ｆが一点鎖線で示す姿勢になる。
このように表部１５の下端部前面には潮の流れによる力が加わり、釣り餌用魚類Ｆは一点鎖線で示す状態と二点鎖線で示す状態との間で上下方向に揺動する。
【００２８】
前述したように釣り餌用魚類Ｆをその腹が下を向く姿勢に保持することができ、しかも左右方向に揺動させ、且つ上下方向に揺動させることができる、釣り餌用魚類Ｆを海中で泳いでいるように動作させることができる。従って、釣り餌用魚類に対する獲物の食い付きを飛躍的に向上させることが可能となる。
【００２９】
また、前述したように本体３は透明材料によって構成されているので、餌用魚類の遊泳偽装用具１が釣り餌用魚類Ｆに装着されているようには見えず、釣り餌用魚類Ｆの外観を損ねてしまうのを防止できる。
前述したように二つの錘２５は凹部２１内で動いて互いに接触できる状態となっているので、リップ部１１が左右方向と上下方向に動くと、二つの錘２５は互いに接触する。これにより接触音が発生するので、音に反応する獲物に対しても集魚効果を発揮できる。
【００３０】
実施の形態２に係る釣り餌用魚類の遊泳偽装用具３１を図６にしたがって説明する。
実施の形態２に係る釣り餌用魚類の遊泳偽装用具３１は、実施の形態１に係る釣り餌用魚類の遊泳偽装用具１と同様の構成部分を有するので、釣り餌用魚類の遊泳偽装用具１と同様の構成部分については、同じ符号を付すことで説明を省略する。
符号３３は連結部としての穴を示し、この穴３３はリップ部１１に形成されている。穴３３にはハリス３５の一端が連結されており、ハリス３５の他端には補助釣針３７が取り付けられている。
【００３１】
このようにマスク部５に挿通される釣針Ｈ以外の補助釣針３７が設けられているので、獲物が釣針Ｈに掛からない場合であっても、獲物が補助釣針３７にかかる可能性がある。
【００３２】
以上、本発明の実施の形態について詳述してきたが、具体的構成は、この実施の形態に限られるものではなく、本発明の要旨を逸脱しない範囲における設計の変更などがあっても発明に含まれる。
上記実施の形態では、リップ部１１を湾曲面によって構成したが、リップ部１１を平坦な（湾曲しない）傾斜面によって構成してもよい。
上記実施の形態では、本体３をアクリル樹脂によって構成したが、例えば本体３をポリエチレンテフタレートによって構成してもよい。
【００３３】
上記実施の形態では、マスク部５に穴７、９を形成する構成としたが、マスク部５に穴７、９を形成しない構成としてもよい。この場合にはマスク部５を釣針Ｈが容易に貫通できる材料・厚さ寸法に設定する。
上記実施の形態では、凹部２１に錘２５を二つ収容したが、凹部２１に錘２５を一つまたは三つ以上収容してもよい。
【産業上の利用可能性】
【００３４】
本発明は、釣り餌用魚類の遊泳偽装用具の製造業、延縄漁や一本釣り漁等を行う漁業に利用可能である。
【符号の説明】
【００３５】
１…釣り餌用魚類の遊泳偽装用具      ３…本体      ５…マスク部
７、９…穴      １１…リップ部      １３…折り返し部
１５…表部      １５Ｌ…左半部      １５Ｒ…右半部
１７…裏部      １９…凸部      ２１…凹部
２３…凹部      ２５…錘
３１…釣り餌用魚類の遊泳偽装用具      ３３…穴
３５…ハリス      ３７…補助釣針
Ｆ…釣り餌用魚類      Ｈ…釣針      Ｃ…リップ部の中心
Ｐ…回動中心
【図１】
2011120546.tif 000003
【図２】
2011120546.tif 000004
【図３】
2011120546.tif 000005
【図４】
2011120546.tif 000006
【図５】
2011120546.tif 000007
【図６】
2011120546.tif 000008